(57)【特許請求の範囲】
【請求項１】
一定の間隔を隔てて平行に配置され、圧縮空気を貯留する一対の空気タンクと、
外部より吸入した空気を圧縮して前記空気タンクに供給する圧縮部と、
該圧縮部に連結され前記圧縮部を駆動するモータと、
前記モータの回転軸の一端に設けられ、冷却風を発生させる冷却ファンと、
前記モータを駆動するための制御回路部を有し、
前記モータと前記圧縮部を前記一対の空気タンクの上方に配置した空気圧縮機において、
前記制御回路部を、前記一対の空気タンクの上方であって、前記冷却ファンの軸方向投影領域と重なる位置に配置し、
前記制御回路部は回路基板を収納する収納ケースを有し、前記冷却ファンの軸方向投影領域内に前記収納ケースの一部または全部が含まれるように、前記制御回路部を配置し、
前記収納ケースは、前記冷却ファンに対面するように、縦置きにて配置され、
前記収納ケースは少なくとも１面が開放された直方体状であり、該開放面が前記冷却ファン側に向けて配置され、
前記モータのハウジングの一端側に、前記冷却ファンの冷却風をステータコイル部へ案内するためであって、前記冷却ファンの外側に位置する半球円筒状のファンガイドを設け、前記ファンガイド内部に吸引された冷却風を、前記モータの側部から排出させることを特徴とする空気圧縮機。
【請求項２】
前記ファンガイドの吸引口の直径は、前記収納ケースの開放面の幅よりも小さいことを特徴とする請求項１に記載の空気圧縮機。
【請求項３】
前記冷却ファンは、遠心ファンであることを特徴とする請求項２に記載の空気圧縮機。
【請求項４】
前記ファンガイドの外周部に、吸引された冷却風の一部を前記モータのステータコイルに導かずに外部に排出するための吐出口を設けたことを特徴とする請求項３に記載の空気圧縮機。
【請求項５】
前記空気圧縮機に、前記一対の空気タンクの少なくとも一部分と前記圧縮部と前記モータを覆うものであって、その前面、側面に空気の通過を可能とする風窓を有する本体カバーを設け、
前記冷却ファンによって発生される空気流は、前記本体カバーの前面の風窓から吸引され、前記モータ内部を通過して前記本体カバーの側面の風窓から排出されることを特徴とする請求項４に記載の空気圧縮機。
【発明の詳細な説明】
【技術分野】
【０００１】
本発明は、例えば空気工具を駆動するために必要な圧縮空気を生成するのに好適な空気圧縮機に関し、特に、インバータ制御手段を含む回路基板、モータ、圧縮機などの発熱部分を効率よく冷却することができる空気圧縮機に関する。
【背景技術】
【０００２】
建築現場などでは、圧縮空気の圧力で釘やネジを木材などに打ち込こむ携帯型の空気工具が広く使用されている。一般に、空気工具等を駆動する空気圧縮機は、モータ等の駆動部の回転出力軸の回転運動が、圧縮空気生成部のクランク軸を介してシリンダ内のピストンの往復運動として変換され、ピストンの往復運動によってシリンダの吸気弁から吸い込んだ空気を圧縮するように構成される。シリンダ内で圧縮された圧縮空気はシリンダの排気弁からパイプを通して空気タンクに吐出され、空気タンク内に貯留される。
【０００３】
空気圧縮機が２つの空気タンクから構成される場合は、お互い離間して平行に設けられる略円筒形の２つの空気タンクと、２つの空気タンクを一定の距離をおいて連結するフレームを有し、そのフレームの上側に、駆動部と圧縮部（圧縮空気生成部）が設置される。圧縮部で圧縮された空気は、一方の空気タンクに吐出される。２つの空気タンクは、お互いがパイプで連通され、一方の空気タンクからパイプを介して他方の空気タンクに圧縮空気を流入させることによって、双方の空気タンク内の圧力が同一に保たれる。釘打機等の空気工具は、この空気タンク内に貯留された圧縮空気を利用するもので、高圧の圧縮空気は空気タンクに取付けられた減圧弁により適正圧力へ調整され、エアホースを介して空気工具等へ供給される。この種の空気圧縮機は、例えば、特許文献１に開示される。
【０００４】
【特許文献１】特開２００６−１８８９５４号公報
【発明の開示】
【発明が解決しようとする課題】
【０００５】
特許文献１の空気圧縮機は、空気タンク、モータ部、及び圧縮部を覆う本体カバーを備える。そして、圧縮部を駆動するモータへの電力の供給は、モータのロータの回転位置を検出するとともにこの検出信号に応じてモータのステータコイルに供給する電流、電圧を制御することによって行われる。近年、空気圧縮機においては、インバータ制御手段が広く使用されており、モータを効率的に駆動させて消費電力を低減している。
【０００６】
インバータ制御のための回路は、半導体スイッチング素子やその他の部品によって構成され、半導体スイッチング素子はその駆動中の発熱が大きいため冷却が必要である。冷却が不十分な状態で使用すると素子が熱により破壊されてしまい、モータの制御ができなくなってしまう。そのため、制御回路部に保護回路を設け、これらの部品の温度が所定の温度に達した時にモータへの電力の供給を遮断して素子の破壊を防止するようにするのが一般的である。しかし、電力の供給が遮断されると、空気圧縮機の圧縮運転がその都度停止してしまうというデメリットがある。
【０００７】
近年では釘打機だけでなく、ドライバなども圧縮空気を使って動作させる空気工具が広く使われるようになり、空気消費量の増加に伴い空気圧縮機の運転頻度が多くなってきた。よって、インバータ制御手段を使用している空気圧縮機においてはインバータ制御回路の過熱を防止し、保護回路の動作による運転停止の頻度を低減することが望まれていた。
【０００８】
従来技術においては、発熱部品を備えたインバータ制御回路部を、熱伝導性の良好なアルミ材料などにより構成されたケース内に発熱部品がケースと密着するように収容している。そして、一対の空気タンクの間で、かつ、モータと圧縮機の少なくとも何れか一方の下方にインバータ制御回路部を配置し、モータの回転軸の圧縮機側端部に取付けた冷却ファンにより発生する空気流の一部を空気タンク、圧縮機、モータそして制御回路部によって囲い構成にした通風路へ通風することにより発熱部品を冷却するよう構成していた。
【０００９】
しかしながら、空気圧縮機を連続または断続的に運転していると、制御回路はもちろんのことモータのステータコイルの銅損による発熱や圧縮部のボールベアリング、ピストンリング等による摩擦損による発熱、空気圧縮時の圧縮摩擦熱等により、モータ部、圧縮部、空気タンク部がそれぞれ温度上昇するので、冷却用の空気通路内は高温状態になり、外気を取り込んでもすぐに冷却空気自体の温度が上昇してしまい、高温状態になった空気で制御装置の回路素子を冷却することになるため、冷却効果を著しく低下させてしまう。このような状態で運転を行なうと結果的に制御回路素子の温度が所定の温度に達してしまい保護回路が動作し、運転が停止してしまうことがあった。
【００１０】
また、発熱部品がケースによって覆われている上に、一対の空気タンクの間であって、モータと圧縮機の少なくとも何れか一方の下方に制御回路を配置しているために、本体カバー内部に溜まった熱を排気するための排気口不足による本体カバー内部の温度上昇抑制と、空気タンク間に設けた風路部に十分な冷却風を通風させるため、圧縮機側に取付けた冷却ファンは圧縮部やモータの外形より大きな軸流形の冷却ファンを設定しなければならず、圧縮機本体をコンパクトに設計するための弊害となっていた。
【００１１】
さらに、上述した弊害を避けるために、大形の冷却ファンを使用し、本体カバー内部全体を通風させると、圧縮機やモータ部などの凹凸部により気流が乱れ、効率よく冷却風を外部へ排出することができず、本体カバー内部の温度を上げる原因となっていた。
【００１２】
従って、本発明の主な目的は、モータ、圧縮機、モータの回転を制御する制御回路を有する空気圧縮機において、発熱部分を効率よく冷却することができる空気圧縮機を提供することにある。
【００１３】
本発明の他の目的は、モータの回転を制御する制御回路の設置場所を工夫することにより、制御回路に含まれるインバータ制御手段等の発熱の大きい素子を効率よく冷却することができる空気圧縮機を提供することにある。
【００１４】
本発明のさらに他の目的は、本体カバー内の空気の流れをスムーズにした空気圧縮機を提供することにある。
【００１５】
本発明の上記及び他の目的ならびに新規な特徴は、以下の明細書の記載及び図面から明らかになるであろう。
【課題を解決するための手段】
【００１６】
本願において開示される発明のうち、代表的なものの特徴を説明すれば、次の通りである。
【００１７】
一定の間隔を隔てて平行に配置され、圧縮空気を貯留する一対の空気タンクと、外部より吸入した空気を圧縮して空気タンクに供給する圧縮部と、圧縮部に連結され圧縮部を駆動するモータを有し、モータの軸方向が空気タンクの長手方向軸と略平行となるように、モータと圧縮部を一対の空気タンクの上方に配置した空気圧縮機において、モータの回転軸の一端に冷却風を発生させる冷却ファンを設け、モータを駆動するための制御回路部を、一対の空気タンクの上方であって、冷却ファンの軸方向投影領域と重なる位置になるように配置した。この制御回路部は回路基板を収納する収納ケースを有し、冷却ファンの軸方向投影領域内に収納ケースの一部または全部が含まれるように配置する。ここで、冷却ファンの軸方向投影領域とは、冷却ファンのファン外径、またはファンを収容するハウジングの外径を、回転軸方向に投影した際に含まれる領域または部分をいい、その領域は、一般的に冷却ファンにより発生される空気流の流れとほぼ一致し、冷却ファンによる冷却効果が最も強く影響される。また、空気タンクの上方とは、空気タンクの最上部よりも上という意味だけでなく、空気タンクの長手方向の軸線よりも上、又は、平行に配置された空気タンクを連結するフレームよりも上という概念である。
【００１８】
収納ケースは、例えばアルミニウム等の熱伝導性の良好な材料により構成されたケースであり、全面を閉じるか又は少なくとも１面を開放した略直方体のケースである。開放面がある場合は、その開放面の一つを冷却ファン側に向けて、収納ケースを縦置き又は横置きにて配置する。
【００１９】
モータのハウジングの一端側には、冷却ファンによって発生される冷却風をステータコイル部へ案内する半球円筒状のファンガイドが設けられる。このファンガイドによって、吸引口からハウジングの内部に吸引された冷却風を、ステータコイルに効率よく導き、モータのハウジングの側部又は後端部から排出させる。ファンガイドの吸引口の直径は、収納ケース自体または開放面の幅よりも小さくするのが好ましく、この場合、吸引口が収納ケースの内部に位置するように配置すると好ましい。
【００２０】
冷却ファンは、ファンガイドの内部に設けられた遠心ファンであることが好ましいが、他の吸引ファンであっても同様に用いることができる。ファンガイドには、その外周部に、吸引された冷却風の一部をモータのステータコイルに導かずに外部に排出する吐出口を設けても良い。
【００２１】
空気圧縮機には、一対の空気タンクの少なくとも一部分と、圧縮部と、モータを覆うものであって、その前面、側面に空気の通過を可能とする風窓を有する本体カバーを設ける。冷却ファンによって発生される空気流は、本体カバーの前面の風窓（スリット）から吸引され、冷却ファンによって発生される空気流の上流側に設置された制御回路部の周囲を通過し、ファンガイドの内部に入り、モータ内部を通過してモータの側部又は後端部からモータ外部に排出され、その後、本体カバーの側面の風窓から外部に排出される。
【００２２】
尚、制御回路部は空気タンクの上方で、冷却ファンの軸方向にみて本体カバーと冷却ファンの間に位置するようにし、冷却ファンによって発生される空気流の領域内に位置するように設置される。そのため、制御回路部はその配置が鉛直方向になるように縦置きにしても良いし、水平方向になるように横置きに設置しても良い。
【発明の効果】
【００２３】
請求項１の発明によれば、モータを駆動するための制御回路部を、一対の空気タンクの上方であって、冷却ファンの軸方向投影領域と重なる位置に配置したので、冷却ファンによって取り込んだ外気を直接制御回路部へ流すことが可能になり、冷却風は温度上昇することなくその大半が制御回路部の冷却に最初に利用されるため、少ない風量で高い冷却効果を得ることができる。また、大形の冷却ファンを用いる必要がなくなり、冷却ファンの小型化を図ることができる。
また、制御回路部は回路基板を収納する収納ケースを有し、冷却ファンの軸方向投影領域内に収納ケースの一部または全部が含まれるように、制御回路部を配置したので、冷却ファンによって発生される空気流の流路内に制御回路部が確実に配置されるので、高い冷却効果を得ることができる。
さらに、収納ケースは、冷却ファンに対面するように、縦置きにて配置されるので、冷却ファンの前方に収納ケースを配置するための大きなスペースを必要とせずに、わずかなスペースで済むので、空気圧縮機をコンパクトに構成することができる。
さらに、収納ケースは少なくとも１面が開放された略直方体状であり、開放面が冷却ファン側に向けて配置されるので、冷却風は収納ケースの外周壁面から内部壁面へ流れ込み、発熱素子の周囲を通過して吸引口に案内されるので、収納ケース内に熱がこもることなく、冷却風の冷却有効表面積が増加し冷却性能が著しく向上する。
さらに、冷却ファンの外側に位置する半球円筒状のファンガイドを設け、ファンガイド内部に吸引された冷却風を、モータの側部から排出させるようにしたので、モータ内部の熱を効率よく放出することができる。
【００２８】
請求項２の発明によれば、ファンガイドの吸引口の直径は、収納ケースの開放面の幅よりも小さくしたので、冷却ファン１２により生じる空気流が制御回路部の収納ケースの前面より側面に沿って流れ、発熱回路素子の放熱フィンとして機能する収納ケースを効果的に冷却でき、しかも、その空気流のほとんどがファンガイド１３により吸い込まれるため、冷却効率がきわめて高くなる。
【００２９】
請求項３の発明によれば、冷却ファンとして遠心ファンを用いているので、ファンガイドの吸引口から吸引された空気を、円周方向に導き、モータの円周部に位置するステータコイル近傍に冷却風を導くことができ、ステータコイルの冷却効率が向上する。また、遠心ファンを用いることによって、冷却ファンを小型化することができるので、空気圧縮機をコンパクトに構成することができる。
【００３０】
請求項４の発明によれば、吸引された冷却風の一部をモータのステータコイルに導かずに外部に排出する吐出口を設けたため、吐出口から出た冷却風を圧縮部に吹き付けて圧縮部も同時に冷却することができるので、制御回路部、モータ、圧縮部等の全てを１つの冷却ファンで冷却することが可能になり空気圧縮機のさらなる小型化を図ることができる。
【００３１】
請求項５の発明によれば、冷却ファンによって発生される空気流は、本体カバーの前面の風窓から吸引され、モータ内部を通過して本体カバーの側面の風窓から排出されるため、圧縮機側に取付けられる冷却ファンによる空気流に影響したり、又は、影響されることなく本体カバー内の空気流の流れをスムーズにし、温度上昇を抑えることができる。
【発明を実施するための最良の形態】
【００３５】
以下、本発明の実施の形態を図面に基づいて説明する。なお、以下の図において、同一の機能を有する部分には同一の符号を付し、繰り返しの説明は省略する。
【００３６】
図１は、本発明の一実施形態を示す空気圧縮機全体の上面図であり、一部に部分断面を示す。図２は、図１に示した空気圧縮機の側面図であり、一部に部分断面を示す。図３は、図１に示した空気圧縮機の空気の流れを説明するための正面図である。
【００３７】
図１〜図３に示すように、本発明にかかる空気圧縮機１は、圧縮空気を貯留する一対の空気タンク４ａ、４ｂと、圧縮空気を生成し空気タンク４ｂに供給するための圧縮部３と、圧縮部３を駆動するためのモータを有するモータ部２と、モータの起動・停止（オン・オフ）を制御する制御回路部５を有する。図面上、二点鎖線で示されているのが本体カバー８の断面である。本体カバー８は、少なくとも空気タンク４ａ、４ｂの上方と、モータ部２と、圧縮部３と、制御回路部５を覆い、その上面には空気圧縮機１に供給される商用交流電源をオン又はオフするための主電源スイッチ２４（図２）が設けられる。
【００３８】
空気タンク４ａ、４ｂは圧縮空気を貯留するもので、その空気タンクの長手方向中心軸Ｘ（図２）が互いに略平行となるように一定の間隔を隔てて並べて配置され、これらの空気タンク４ａ、４ｂ間にフレーム９、１７が溶接又はその他の任意の方法で固定されることによって互いに連結される。空気タンク４ａ、４ｂの下方、即ち、長手方向中心軸Ｘよりも下方には、脚部１０（図２、３）が設けられ、空気圧縮機１を床の上に置き易くしている。また、空気タンク４ａ、４ｂの前方及び後方にはハンドル３５が設けられ、空気圧縮機１の移動を容易にしている。
【００３９】
圧縮空気は圧縮部３で生成され、圧縮部３の吐出口より吐出管３０を通して空気タンク４ｂに供給される。供給された圧縮空気は、空気タンク４ｂ内で、例えば３．０〜４．２ＭＰａの圧力を有する。また、空気タンク４ａと４ｂは、連結管（図示せず）によって連結されており、両方の空気タンクの圧力は均一に保たれる。空気タンク４ａには安全弁（逃がし弁）７が取り付けられ、空気タンク４ａ、４ｂ内の圧力が異常に高くなったときに、その圧縮空気の一部を外部に吐出させて、異常な圧力上昇を防止する。
【００４０】
双方の空気タンク４ａ、４ｂには、圧縮空気取り出し口となるカプラ６ａ、６ｂが設けられ、それらには、ホース（図示せず）を介して釘打機等の空気工具（図示せず）が接続される。図２から理解できるように、本実施形態では、カプラ６ａ、６ｂは、それぞれ上下に２つずつ設けられるが、カプラの数や、設置する場所は任意に設定しても良い。
【００４１】
カプラ６ａ、６ｂの隣には、減圧弁３４ａ、３４ｂがそれぞれ設けられ、減圧弁３４ａ、３４ｂは、その入口側（タンク側）の圧縮空気の圧力の大きさにかかわらず、出口側（カプラ側）の圧縮空気の最高圧力を一定に抑える機能を持つ。例えば、減圧弁３４ａ、３４ｂが最高圧力２．０ＭＰａのものを使用した場合、空気タンク４ａ、４ｂ内の圧縮空気の圧力が２．０ＭＰａ以上であっても、減圧弁３４ａ、３４ｂからは２．０ＭＰａ以下の圧縮空気しか出力されないので、所望の最高圧力以下の圧力を持つ圧縮空気が得られる。カプラ６ａ、６ｂの近傍には、圧力計３３ａ、３３ｂが取り付けられ、減圧弁３４ａ、３４ｂの出口側の圧力をモニタできる。  空気タンク４ａの後ろ側端部付近には、ドレン排出部３１が設けられ、空気タンク４ａ、４ｂ内の圧縮空気及び圧縮空気中に含まれる水蒸気がタンク内の底部に蓄積されたドレン（水分）を排出できる。
【００４２】
圧縮部３は、図１に示されるように、二つの圧縮機２７、２８により構成され、一段目の圧縮機２７と二段目の圧縮機２８はクランクケースを介してそれぞれ対向するように配置される。一段目の圧縮機２７はクランクケース内部を経由して吸い込まれた外部空気（大気圧）を圧縮し、第１の吐出管２９を経由して二段目の圧縮機２８へ圧縮空気を送り込む。二段目の圧縮機２８は一段目の圧縮機２７から供給される圧縮空気を、例えば３．０〜４．２ＭＰａの許容最高圧力まで圧縮して第２の吐出管３０を経由してタンク４ｂに供給する。
【００４３】
モータ部２を構成する電気モータは、例えば、ホール素子等の検出手段（図示せず）によってロータ２１の回転位置を検出して、この検出信号によってステータコイル２２への電力の供給を制御するＤＣブラシレス方式のモータであり、その電力の供給は制御回路部５においてインバータ制御することによって制御される。
【００４４】
モータ部２は、その回転軸が空気タンクの長手方向軸線Ｘと略平行となるように配置され、カップ状のロータハウジングの外周に永久磁石が取付けられたロータ２１からなる回転子と、その外周側に界磁巻線であるステータコイル２２が配置された固定子を有する。固定子は、複数の鉄心にステータコイル２２がそれぞれ巻かれたもので、各鉄心（磁極）間には、隙間があるために、その隙間を介してモータの軸方向に風を流すことができる構造になっている。モータ部２のモータハウジングの一端側には圧縮部３がステータホルダ２３を介して結合されており、圧縮部３は空気タンク４ａ、４ｂ間を連結しているフレーム９上にボルトにて固定される。
【００４５】
モータの回転軸の一端は圧縮部３のクランクケースを貫通して延び、その端部には冷却ファン１１が取り付けられる。本実施形態では、冷却ファン１１として軸流ファンを用いる例を示しているが、これに限定されるものではなく、冷却用に十分な量の空気流を起こすことができるならば、任意の形式のファンを用いても良い。ファン１１によって、本体カバー８の側面の風窓８１ａ、８１ｂより空気（外気）が吸引され、吸引された空気は圧縮部３を冷却したのち本体カバー８の後面の風窓８２より排気される。
【００４６】
モータの回転軸のもう一方側の端部には、本体カバー８の前面側の風窓８３より外気を吸引しモータ部２側へ空気を導くために、羽根形状を設けた樹脂成形により成形した冷却ファン１２が取付けられる。冷却ファン１２は遠心ファンであり、その外側には樹脂材料からなり、冷却ファン１２の回転により生じた遠心方向への空気流を、ステータコイル２２へ案内するための半球円筒状のファンガイド１３が設けられる。遠心ファンは軸流ファンに比べて、同じ大きさでも比較的多い風量を起こすことができるので、装置をコンパクトにするのは好適である。ファンガイド１３は、軸方向両端にある２つの開口部がそれぞれ円形であり、大きい方の開口部はモータ２のステータハウジングに取り付けられる。取り付け方法は、接着、嵌合、ネジ止めなど、任意の方法で良い。ファンガイド１３の小さい方の開口部である吸引口１４は、図１に示すように制御回路部５の収納ケース５０の幅寸法Ａに対し若干小さい径寸法Ｂよりなり、収納ケース５０の正面に位置するように設置される。図３において、制御回路部５の内側に点線で描かれた２重の円は、冷却ファン１２の外径の位置と、吸引口１４の位置を示している。この冷却ファン１２の外径の位置を示す円の範囲を、軸方向に投影した（延長した）領域が、冷却ファンの軸方向投影領域であり、図３において、制御回路部５の一部分が、その軸方向投影領域に含まれていることが理解できるであろう。
【００４７】
制御回路部５は、図２に示すように電源用回路部品５１、モータの運転をインバータ制御するための半導体スイッチング素子５２やその他の回路素子部品を搭載した回路基板５３よって構成され、半導体スイッチング素子５２などの発熱部品を、アルミニウムなどの熱伝導性の良好な材料によって四面が成形されたケース５０内に配置される。ケース５０の配置場所は、一対の空気タンク４ａ、４ｂの上方、即ち、空気タンク４ａ、４ｂの長手軸よりも上側であって、冷却ファン１２と本体カバー８の間にその直方体の長手面（直方体のうち、一番大きい面積を有する面）が縦方向または鉛直になるように設置され、収納ケース５０の前面に設けた固定用座面１６を空気タンクのフレーム１７に合せボルトで固定する。ケース５０は全面が閉じた形状の直方体でも良いが、本実施形態では、うち２面が開放した形状であり、２つの開放面のうち１面を冷却ファン１２側へ、もう一面を空気タンク側、即ち、下側へ向けた状態で固定する。下側の面を開放することにより、内部にほこりが溜まるのを防止でき、また、仮に結露ができたとしてもその水分が排出されやすくなるという利点がある。発熱部品は、前記ケース５０内に前記ケースと密着するようにして収容され、ケース５０が発熱部品の放熱フィンとして機能するようにしている。
【００４８】
以上のような構成とすることにより、モータが回転することで軸端部に設けた冷却ファン１１、１２がそれぞれ回転し、図４、６に示すような矢印で示す気流１１０、１２０ａ、１２０ｂが発生する。図４から理解できるように、冷却ファン１１により生じる気流１１０は、本体カバー８側面の吸引用風窓８１ａ、８１ｂより外気を吸引し圧縮機２７、２８を冷却したのちファン１１に吸込まれ、本体カバー後面の風窓８２より外部に排出される。また、一対の空気タンク間には一定の隙間を設けて開放しているので、前記気流１１０の一部は、気流１２０ａ、１２０ｂで示すように、ステータホルダより下方円周方向へも排気することで、タンク間を通過しスムーズに外部に排気することができる。特に、空気タンクを連結するフレームより下方には制御回路部がないため、下方への空気の流れをスムーズになり、冷却効率が向上する。
【００４９】
一方で、冷却ファン１２により生じる気流１２０は、本体カバー８前面の吸引用風窓８３より吸引され、制御回路部５の収納ケース５０の前面より側面に沿って流れるので、発熱回路素子の放熱フィンとして機能する収納ケース５０を効果的に冷却したのち、ファンガイド１３内に吸い込まれる。ファンガイド１３の径寸法Ｂは収納ケースの幅寸法Ａとほぼ同じ径寸法か小さいので、収納ケース５０の側面に沿って流れてきた冷却風は収納ケース５０より剥離することなくスムーズに流れて、ファンガイド１３内へ案内される。
【００５０】
ファンガイド１３に吸込まれた冷却風１２０は半球円筒状のガイド内側を通過してモータのステータコイル２２間を通過し、ステータホルダ２３の円周上に放射状に設けた案内リブにより左右方向とタンク側の下方向に分流してモータ内部から排出される。この案内リブの形状は、圧縮機３側のファン１１によって発生される気流１１０に影響を与えないように、左右方向への排気流は本体カバー側面の排気用風窓８１ａ、８１ｂより排出され、下方への排気流は図５の１２０ａ又は１２０ｂに示すようにタンク下又はタンク間を通って排出されるように、空気流を目的の方向に導くように形成すればよい。案内リブや排気のための流路の形状や数は、必要とされる風量などに応じて任意に設ければよい。
【００５１】
なお、本体カバー８側面の風窓８１ａと８１ｂは冷却ファン１１の排気と冷却ファン１２の吸気が混在するため、それぞれの風窓の境に気流を遮断するリブ８４（図４）を設けることにより吸排気の効率を向上することができる。リブ８４は、例えば本体カバー８の内側に本体カバー８と一体に成型することもできるし、圧縮部３側に金属製あるいはプラスチック製の板を設けることによって実現できる。また、各風窓８１ａ、８１ｂ、８２、８３の大きさ、即ち、幅や高さは、本体カバー８の大きさに合わせて、できるだけ大きくするのが好ましいが、気流の流れなどを考慮して任意に設定すればよい。
【００５２】
次に、図６を用いて本発明の別の実施形態を説明する。図６は本発明の第２の実施形態を示す空気圧縮機全体の上面図であり、一部に部分断面を示す。図６においては、制御回路部５の収納ケース５０の開放面がモータ部２に近づくように、ファンガイド１３の吸引口１３１が収納ケース５０の開放面より内側に位置するように配置した。このように配置することにより、冷却ファン１２から吸引される空気は、ほとんどすべてが制御回路部５の内部を通過してから吸引されるので、制御回路部５の冷却効果が非常に高くなる。また、可能な限り収納ケース５０をモータ部２に近づけて配置したので、制御回路部５を設置するために必要とされるスペースが最小となり、空気圧縮機をコンパクトに構成することができる。
【００５３】
次に、図７を用いて本発明のさらに別の実施形態を説明する。図７は、本発明の第３の実施形態を示す空気圧縮機全体の上面図であり、一部に部分断面を示す。図７では半球状のファンガイド１３２の周囲の一部分、たとえば、左右２箇所において吐出口１３３を有するように形成し、一部の空気をモータ内部に導き、残りの空気を吐出口１３３を経由して外部に排出されるようにした。図７の例では、モータの左右部分においてだけ吐出口１３３が設けられ、上下部分においてはファンガイド１３２の周囲には開口部はない。吐出口１３３を経由して冷却ファン１２によって吸込まれた気流の一部がステータコイル２２間を通過することなくファンガイド外部へ排気され、排気風を効率よく圧縮機２７、２８に吹き当たるように導くことができる。吐出口１３３の形状や角度は、冷却すべき部位の位置に応じて調整される。このように構成すれば、ファンガイド１３２の吐出口１３３の大きさや、形状、その方向などによって、モータ部２の冷却と圧縮部３の冷却の度合いを分配することができるので、簡単な構成により空気圧縮機１の冷却効果を向上させることができる。
【００５４】
尚、吐出口１３３は圧縮機２７、２８の冷却のためだけではなく、本体カバー８の内部の空気の流れを調節するために設置することも可能であり、排気角度や排気口の数は任意に設定することができる。
【００５５】
以上説明したように、本発明によれば、冷却ファンによって取り込んだ外気を直接制御回路部５へ流すことが可能になり、冷却風は温度上昇することなく大半を制御回路部の冷却に利用されるため、少ない風量で高い冷却効果を得ることができる。さらに、本発明によれば、モータの回転を制御する制御回路部の設置場所を工夫したことにより、インバータ制御手段等の発熱の大きい素子を効率よく冷却することができる。本発明の配置では制御回路部を縦置きにしたので、制御回路部の収納ケース内にほこりが溜まりにくくなる。さらに、一対の空気タンク間、フレーム下側に設けた従来技術の制御回路部の配置に比べると、本発明の配置では制御回路部は空気タンクの上側にあるので、脚部１０に設けられたキャスターを利用して空気圧縮機１を移動する場合など、制御回路部５をぶつけたりする危険性が大幅に減少される。
【００５６】
以上、本発明を示す実施形態に基づき説明したが、本発明は上述の形態に限定されるものではなく、その要旨を逸脱しない範囲内で種々の変更が可能である。
【００５７】
例えば、上述の実施形態では、圧縮部３側に取付けた冷却ファン１１を吐出形の軸流ファンとしているが、本発明によればモータ部２を冷却した気流１２０は、冷却ファン１１の気流１１０を阻害することなく外部へ排気することができるので、冷却ファン１１は吸込形の軸流ファンでも良く、その場合、図４で示した気流１１０を逆方向に発生させるようにしても良い。
【００５８】
また、冷却ファン１１の形式は、軸流ファンに限定されるものではなく、圧縮部の冷却気流をスムーズに排気できるように本体カバー８の内壁を設計すればどのようなタイプの冷却ファンでも良く、例えば、遠心ファンやでも同様の効果を得ることができる。さらに、冷却ファン１１に対応して設けられるファンガイド１３は半球状だけでなく、他の形状、例えば、その断面が略四角形であっても良い。
【００５９】
さらに、上述の実施形態では、冷却ファン１２を遠心ファンとして説明したが、これに限定されるものではなく、軸流ファンなど、任意の形式のファンを用いても同様の効果を得ることができる。
【図面の簡単な説明】
【００６０】
【図１】本発明の一実施形態を示す空気圧縮機全体の上面図であり、一部に部分断面を示す図。
【図２】図１に示した空気圧縮機の側面図であり、一部に部分断面を示す図。
【図３】図１に示した空気圧縮機の正面図。
【図４】図１に示した空気圧縮機の空気の流れを説明するための部分断面上面図を示す図。
【図５】図１に示した空気圧縮機の空気の流れを説明するための部分断面側面図を示す図。
【図６】本発明の第２の実施形態を示す空気圧縮機全体の上面図であり、一部に部分断面を示す図。
【図７】本発明の第３の実施形態を示す空気圧縮機全体の上面図であり、一部に部分断面を示す図。
【符号の説明】
【００６１】
１：空気圧縮機    ２：モータ部    ３：圧縮部    ４ａ、４ｂ：空気タンク  
５：制御回路部    ６ａ、６ｂ：カプラ    ７：安全弁    ８：本体カバー    
９、１７：フレーム    １０：脚部    １１：冷却ファン    １２：冷却ファン
１３：ファンガイド    １６：固定用座面
２０：吸引口    ２１：ロータ    ２２：ステータコイル    ２３：ステータホルダ
２７、２８：圧縮機    ２９、３０：吐出管    ３１：ドレン排出部
３３ａ、３３ｂ：圧力計    ３４ａ、３４ｂ：減圧弁    ３５：運搬ハンドル
５０：収納ケース    ５１：電源用回路部品    ５２：半導体スイッチング素子
５３：回路基板
８１ａ、８１ｂ：吸引用風窓    ８２：吐出用風窓    ８３：吸気用風窓    ８４：リブ
１１０、１２０、１２０ａ、１２０ｂ：気流    
１３１：（ファンガイドの）吸引口      １３２：ファンガイド
１３３：（ファンガイドの）吐出口
【図１】
0005293995.tif 000002
【図２】
0005293995.tif 000003
【図３】
0005293995.tif 000004
【図４】
0005293995.tif 000005
【図５】
0005293995.tif 000006
【図６】
0005293995.tif 000007
【図７】
0005293995.tif 000008